(57)【特許請求の範囲】
【請求項１】
結束装置の結束紐自動切断排出装置であって、結束紐切断手段と、結束紐緊張手段と、結束紐供給手段とを具備し、結束紐切断手段が通常運転時に移動している結束紐を押し付けることのないように結束紐の通常軌道に沿って配置され、結束紐切断手段が結束紐を切断可能であり、結束紐切断手段が切断された結束紐の下流側部分を排出軌道に指向させ、結束紐緊張手段により該下流側部分が排出軌道を介して排出されるようにした結束紐自動切断排出装置。
【請求項２】
上記結束紐切断手段が、回転可能な結束紐カッタ要素であり、結束紐カッタ要素の周縁に沿って回転切断面が配置されており、さらに回転切断面から離間されかつ該回転切断面に隣接する固定切断面を具備し、切断されるべき結束紐部分が回転切断面と固定切断面間に配置され、切断工程において結束紐カッタ要素を回転させることにより、回転切断面を切断されるべき結束紐部分に当接させ、次いで該回転切断面を、結束紐を介し反対側の固定切断面に向け該結束紐が切断されるまで移動させるようにした請求項１に記載の結束紐自動切断排出装置。
【請求項３】
上記結束紐緊張手段が第１および第２の緊張ホイールであり、上記結束紐供給手段が第１および第２の供給ホイールであり、上記結束紐カッタ要素が第１および第２の緊張ホイールと第１および第２の供給ホイール間に配置され、第１および第２の緊張ホイールが上記結束装置から結束紐部分を引き抜いて該結束紐部分を排出軌道までかつ結束装置の完全に外部まで移送するために回転可能になっており、第１および第２の緊張ホイールが通常運転時において結束紐に張力を付与する機能と、異常結束紐が生じたときに結束装置から結束紐部分を排出する機能との２つの機能を果たすようにした請求項２に記載の結束紐自動切断排出装置。
【請求項４】
上記第２の緊張ホイールに隣接配置された枢動可能な結束紐案内部をさらに具備し、該結束紐案内部は異常結束紐切断排出工程時に結束紐の通常軌道から遠ざかる方向に枢動可能であり、結束紐案内部が結束紐の通常軌道から遠ざかる方向に回転することによって排出されるべき結束紐部分のための排出軌道が開放されるようにした請求項３に記載の結束紐自動切断排出装置。
【請求項５】
上記結束紐案内部がスプリングにより付勢されている請求項４に記載の結束紐自動切断排出装置。
【請求項６】
上記結束紐カッタ要素をその回転範囲内において回転させる歯付きモータをさらに具備した請求項５に記載の結束紐自動切断排出装置。
【請求項７】
上記結束紐カッタ要素を収容する結束紐カッタスリーブをさらに具備し、該結束紐カッタスリーブが定置されている請求項６に記載の結束紐自動切断排出装置。
【請求項８】
結束紐部分排出工程が完了した後、上記第１および第２の供給ホイールによって上記結束紐が上記結束装置に、自動的に再供給されるようにした請求項３に記載の結束紐自動切断排出装置。
【発明の詳細な説明】
【０００１】
【発明の属する技術分野】
本発明は結束装置の結束紐切断排出装置および方法に関する。特に本発明は結束装置から異常または不良結束紐を自動的に切断し排出する装置に関する。
【０００２】
【従来の技術および発明が解決しようとする課題】
従来、結束装置から異常結束紐を切断し排出するためには複雑な構成要素が必要とされ、これら構成要素はそれぞれ別個の機能のために全結束装置と完全に一体的にされていなかった。例えば関連の米国特許第５，２８７，８０２号明細書では異常結束紐を自動的に切断し排出するための分離された供給緊張装置を必要とする。異常結束紐の切断および排出に特に関連した専心的な責務を伴う分離された構成要素を設けることによって、さらに機械的に複雑になり、関連するメンテナンスの欠点があり、追加の電子制御システムが必要となり、その結果コストが高くなるという問題点がある。
【０００３】
これらおよび他の関連する問題点は本発明により解決される。
本発明は結束装置内で異常結束紐を切断し排出する従来のシステムに対して多くの利点を具現化する。
本発明の目的は結束装置から異常結束紐を自動的に切断して排出することにある。
【０００４】
本発明の別の目的は結束装置の他の標準的な機能と一体的なシステムを用いて異常結束紐を切断、排出することにある。
本発明のさらに別の目的は結束装置から異常結束紐を排除するためにも結束紐供給手段および結束紐緊張手段を用いることにある。
【０００５】
【課題を解決するための手段】
本発明のこれらおよび他の目的は本発明により達成される。
本発明によれば、結束装置の結束紐自動切断排出装置であって、結束紐切断手段と、結束紐緊張手段と、結束紐供給手段とを具備し、結束紐切断手段が通常運転時に移動している結束紐を押し付けることのないように結束紐の通常軌道に沿って配置され、結束紐切断手段が結束紐を切断可能であり、結束紐切断手段が切断された結束紐の下流側部分を排出軌道に指向させ、結束紐緊張手段によりこの下流側部分が排出軌道を介して排出されるようにした結束紐自動切断排出装置が提供される。
【０００６】
【発明の実施の形態】
図１を参照すると、本発明の結束紐切断排出装置は第１および第２の緊張ホイール５，６からなる組と、第１および第２の供給ホイール１，２からなる組間に配置された結束紐カッタ要素７を備えている。結束紐カッタ要素７は結束紐カッタ軸線８回りに回転し、また結束紐カッタスリーブ９内に配置されうる。結束装置の通常運転時において、結束紐は結束紐カッタ要素７の周縁に沿って妨害されることなく通常軌道１７内を移動する。しかしながら、緊張ホイール下流において異常結束紐が生じた場合、結束紐カッタ要素７が、結束紐部分を結束紐カッタ要素７の回転切断面２０と固定切断面１９間に位置させるような方向に回転する。結束紐カッタ要素７が継続して回転するとその位置において結束紐が切断され、異常結束紐を含む切断された結束紐１６の下流側部分が排出軌道１１に向かわされ、同時に通常軌道１７が遮断される。枢動可能な結束紐案内部１８が第２の緊張ホイール６周りに配置されうるが、この案内部１８が回転して異常結束紐部分を排出するための明らかな排出軌道を開放する。枢動可能な結束紐案内部１８をバネにより付勢するようにしてもよい。
【０００７】
同一の第１および第２の緊張ホイール５，６は結束装置の通常運転時に用いられるが、本実施態様においてこれらホイール５，６は異常結束紐を含む結束紐部分１６を処理またはリサイクルすべく結束装置外部に引き抜くために運転される。結束紐カッタ要素７を通常位置と切断／排出位置間で回転させるために歯付きモータ１０を用いることもできる。回転する結束紐カッタ要素７の回転変位を制限するために、歯付きモータ１０と共にリンク装置を用いるようにしてもよい。
【０００８】
異常結束紐が結束装置から完全に排出された後、第１および第２の供給ホイールは通常軌道１７を介して結束紐を再び供給する。次いで結束紐はすでに通常作動位置まで戻されている結束紐カッタ要素７を通過し、次の結束動作のためにシュートを介して上昇する。
このようにして、第１および第２の供給ホイール１，２および第１および第２の緊張ホイール５，６は通常の結束状態時における第１の機能と、自動的な結束紐排出時における第２の機能との２つの機能を果たす。供給ホイールおよび緊張ホイールの２つの機能により、結束装置が要求される機能を果たすために必要なすべての要素を簡素化することができ、かつ低減させることができる。これにより、従来の結束装置に比べ、コストが低減され、メンテナンスが簡素化され、信頼性が高められる。
【０００９】
これまで述べてきた本発明は権利が付与されるものの均等の範囲をも含み、特許請求の範囲のみにより制限される。
【図面の簡単な説明】
【図１】本発明による結束紐自動切断排出装置の正面図である。
【図２】本発明による結束紐自動切断排出装置の右上からみた斜視図である。
【符号の説明】
１，２…供給ホイール
５，６…緊張ホイール
７…結束紐カッタ要素
９…結束紐カッタスリーブ
１０…歯付きモータ
１７…通常軌道
１８…結束紐案内部
１９…固定切断面
２０…回転切断面
【図１】
0003727742.tif 000002
【図２】
0003727742.tif 000003